(57)【要約】【課題】従来の薬液噴霧竿は長くて重いため、噴霧竿に取り付けた吊紐に肩掛けベルトを組み合わせることで、重い竿でも腕や腰に負担を掛けずに楽に散布作業ができる肩吊紐付き薬液噴霧竿を提供する。【解決手段】手で持って薬液を散布する噴霧竿１本体の先端寄りから中ほど部位まで、複数個の吊り環８を一定間隔で設けるとともに、前記する先端の吊り環８に結び付けた吊紐１０を前記する各吊り環８，８を通してなる端部と、別体形成される肩掛けベルト１１端部の紐を連結してなる肩吊紐付き薬液噴霧竿１７を構成する。【選択図】図１
0003130052.tif 000002
【実用新案登録請求の範囲】
【請求項１】
手で持って薬液を散布する噴霧竿本体の先端寄りから中ほど部位まで、複数個の吊り環を一定間隔で設けるとともに、前記する先端の吊り環に結び付けた吊紐を前記する各吊り環を通じてなる端部と、別体形成される肩掛けベルト端部の紐を連結してなる構成を特徴とする肩吊紐付き薬液噴霧竿。
【請求項２】
上記する肩掛けベルトと連結する噴霧竿の吊紐に、長さを調節できる調節具を介在させた請求項１に記載する肩吊紐付き薬液噴霧竿。
【請求項３】
上記する肩掛けベルトの両端部に取り付ける紐が、伸縮するゴム紐で構成される請求項１又は請求項２に記載する肩吊紐付き薬液噴霧竿。
【考案の詳細な説明】
【技術分野】
【０００１】  本考案は、農地やハウス栽培において薬液を噴霧する竿を手で持って行う際に、慣れない人や力の弱い女性でも楽に散布することができる肩吊紐付き薬液噴霧竿に関する。
【背景技術】
【０００２】  従来、農地やハウス栽培において薬液を散布する際は、動力を備えた噴霧機本体を背負ったり、長尺のホースで連結した噴霧竿を手に持って水平に移動させながら散布するが、その噴霧竿は、約３〜４メートルくらいの長さの前寄りに複数のノズルを等間隔に設けた竿を両手で持って農薬を散布する器具があり、大型の機械を入れにくい狭い農地やハウス栽培においては欠かせない機具として多用されている。【０００３】  さらに、薬液噴霧竿には高い圧力を加えた薬液が注入されるため、把手管と噴霧ノズル管の接合部を補強するための補強ロッドを備えた薬液噴霧竿の技術がある。（例えば、特許文献１参照）
【特許文献１】公開実用新平１−１３７７５８公報
【考案の開示】
【考案が解決しようとする課題】
【０００４】  以上のような薬液噴霧竿やその技術があり一定の目的は果たしている。しかし、実際面においては以下に示すような不便や欠点がある。まず従来より一般的に使われている噴霧竿は長い竿だとそれだけでも一定の重量があるが、それに加えて噴霧する際は、噴霧竿の導管内部に薬液が入るのでさらに重くなるので、噴霧竿を両手で持って農地などの足場の悪い所で長時間の噴霧作業するには力が必要であり慣れた男性でも重労働であった。【０００５】  さらに公開実用新平１−１３７７５８公報による技術は、高い圧力が加わる把手管と噴霧ノズル管の接合部が破損したり折れないように、補強ロッドを把手管と噴霧ノズル管に掛け渡すように補強ロッドを一本又は二本取り付けた噴霧竿である。これで接合部は補強されて丈夫になるが、その補強ロッド分の重量が加わるので噴霧竿はさらに重くなるため、従来品同様に足場の悪い農地で長時間の薬液噴霧作を行うには大変重労働であった。また重いので両手で持つ必要があるので、前記のタイプも含めてつまずいたりした時バランスを崩して転倒するなどの不便や欠点があった。
【課題を解決するための手段】
【０００６】  本考案は上記するような従来の技術がもつ不便や欠点を解消するために請求項１においは、手で持って薬液を散布する噴霧竿本体の先端寄りから中ほど部位まで、複数個の吊り環を一定間隔でけてなる先端の吊り環に結び付けた吊紐を、前記する各吊り環に通してなる端部と、別体形成される肩掛けベルトの両端部の紐を連結することで、長時間でも腕や腰に掛かる負担を軽減して作業性がよい薬液噴霧竿とする。【０００７】  請求項２においては、上記する肩掛けベルトと連結する噴霧竿の吊り紐に調節具を介在させることで、竿の長さや使いやすさに応じて吊紐の長さを調節できるものとする。【０００８】  請求項３においては、上記する肩掛けベルトの両端部に取り付ける紐を、伸縮性あるゴム紐とすることで竿を左右に振って散布する際の振動を吸収できるものとする。
【考案の効果】
【０００９】  本考案における薬液噴霧竿本体は一般的なものであるが、先端側の散布管及び導管に複数個設けてなる先端の吊り環に結び付けた吊紐端部が、肩掛けベルトのフックに取り付けられているので、使用する際は肩掛けベルトを図４に示すように肩にハス掛けして後に噴霧竿を手に持つと、吊紐がピ〜ンと張ることにより手にそれほど力を入れないでも噴霧竿を水平に維持して安定して薬液を散布できるので、足場の悪い場所で長時間の散布作業を行っても手や腰に掛かる負担を大幅に軽減できることで、女性でも扱える肩吊紐付き薬液噴霧竿を提供することができる。【００１０】  さらに、噴霧竿の吊紐が肩掛けベルトに連結されることにより、水平の状態で左右に竿を振るにも軽く行えるとともに、肩掛けベルトの紐はゴム紐であるため振動を吸収して作業性はさらによくなる。加えて、吊紐と肩掛けベルトを連結することにより手に加わる重量も軽減できるので片手でも扱えるため、仮に転倒しそうになっても片手の自由が利くのでバランスを取り易い。また構成は従来一般的に使用される噴霧竿に吊り環と吊紐を取り付けるとともに、肩掛けベルトを組み合わせたシンプルにして機能的な構成であるので安価に提供できる、従来には見られないユニークな薬液噴霧竿とすることができる。
【考案を実施するための最良の形態】
【００１１】  薬液を噴霧する際に、腕や腰に負担が掛かるのを少なくして効率よく作業ができる竿にするために、噴霧竿の先端より中ほどまで適宜の間隔に設けた吊り環を介在して延長する吊紐端部を肩掛けベルトの両端に設けたフックに取り付けることで、作業時に肩掛けベルトを装着すると重さを軽減するとともに、竿を水平状態に維持したまま噴霧作業が容易にできるものとする。
【実施例】
【００１２】  本考案による肩吊り紐付き噴霧竿の実施例を図１に示す斜視図と図２に示す吊紐に介在する調節具部分の拡大図で説明する。本考案による噴霧竿１は、把手となる軸管２内に、約２倍の長さの導管３をスライド嵌合させた導管３に、複数のノズル４，４を備えた散布管５が連結されるものとする。まず把手となる軸管２には、導管２の中ほどに、動力噴霧器本体に連結される供給ホース６を連結した後部側が、前記軸管２内にスライド自在に嵌合させるとともに、その前端部には、一定間隔に複数個のノズル４，４を設けた散布管５が前記する導管３にジョイント７で連結されるとともに、前記する散布管５の先端寄りと後部及び導管３の供給ホース６前部に、複数個の吊り環８，８を止め具９，をもって取り付けた噴霧竿１本体を形成する。【００１３】  次に、前記する噴霧竿１の散布管５の先端寄り吊り環８に、噴霧竿１の長さ程度の吊紐１０を結び付けた他方を各吊り環８，８に通して後、その吊紐１０端部を、別体形成される肩掛け部材として、肩当て１１を介在させたベルト１２の両端部にゴム紐１３，１３を取り付けた端部にフック１４，１４を取り付けてなる肩掛けベルト１５を形成し、その肩掛けベルト１５の二つのフック１４，１４に、前記した噴霧竿１の吊り環８から延長する吊紐１０を通してから、図２に示すような３個の穴を有する調節具１６を介在して連結してなる肩吊紐付き薬液噴霧竿１７を構成する。【００１４】  以上のような構成を成すが、その構成における肩掛けベルト１５の他の実施例を図３に示す。前記実施例による肩掛けベルト１５は、ベルト両端部にフック１４付きゴム紐１３を単独に取り付けたものであるが、図３のようにベルト１２の両端部を一本のゴム紐１３で連結した紐に一つのフック１４を取り付けるタイプでもよい。【００１５】  本考案は以上のような構成を成すので、使用する際は図４に示すように、肩掛けベルト１５を肩にハス掛けしたフック１４，１４に、噴霧竿１の先端から延長する吊紐１０を通して後に噴霧竿１を持ち、吊紐１０がピ〜ンと張るように調節具１６で調節すると、手に持った噴霧竿１は先端部の吊り環８と肩掛けベルト１５のフック１４とで張り渡された吊紐１０によって水平状態に維持できるので、手に加わる噴霧竿１の重さは半減されるとともに、肩掛けベルト１５の紐はゴム紐１３であるので、左右に噴霧竿１を振って散布する際の振動を吸収するので操作性もよくなる噴霧竿１となる。【００１６】  本考案における肩吊り紐付き噴霧竿１は以上のような構成であるが、図示した噴霧竿１は伸縮タイプであるが、一本竿タイプでも構わない。また散布管５に取り付けた吊紐１１の保持具は吊り環８であるがフック１４でもよいし他の吊り具でもよい。さらに肩掛けベルト１５の吊紐１０はゴム紐１３が好ましいが、伸縮しない紐でも差し支えないものであり、いずれも特に限定されるものではない。
【図面の簡単な説明】
【００１７】
【図１】本考案による肩吊紐付き液噴霧竿の実施例示す斜視図である。
【図２】噴霧竿の吊紐に介在する調節具部分を示す拡大図である。
【図３】肩掛けベルトの他の実施例を示す斜視図である。
【図４】本考案の肩吊紐付き薬液噴霧竿の参考使用例図である。
【符号の説明】
【００１８】  １  噴霧竿
２  軸管
３  導管
４  ノズル
５  散布管
６  供給ホース
７  ジョイント
８  吊り環
９  止め具
１０  吊紐
１１  肩当て
１２  ベルト
１３  ゴム紐
１４  フック
１５  肩掛けベルト
１６  調節具
１７  肩吊紐付き噴霧竿
【図１】
0003130052.tif 000003
【図２】
0003130052.tif 000004
【図３】
0003130052.tif 000005
【図４】
0003130052.tif 000006